【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  遊技動作を行う複数の作動部を作動制御する複数のサブ制御部と、それら複数のサブ制御部を全体的に制御する主制御部を備えており、該主制御部が送信した制御コマンドを該複数のサブ制御部が直接的乃至は間接的に受信し、該複数のサブ制御部が該制御コマンドに基づいて該複数の作動部を作動制御するようにした遊技機において、
前記主制御部と前記複数のサブ制御部の間での該主制御部から送信された制御コマンドの伝送経路上に配設されて、該制御コマンドを受信する通信制御部が設けられている一方、該制御コマンドに対して、該制御コマンドが該複数のサブ制御部の何れのサブ制御部に向けて送信されたものであるかを示す宛先識別情報が付されており、該通信制御部が、該制御コマンドに関するサブ制御コマンドを該宛先識別情報に基づいて該サブ制御部に送信するようにしたことを特徴とする遊技機。
【手続補正２】
【補正対象書類名】明細書
【補正対象項目名】００１１
【補正方法】変更
【補正の内容】
【００１１】
本発明の特徴とするところは、遊技動作を行う複数の作動部を作動制御する複数のサブ制御部と、それら複数のサブ制御部を全体的に制御する主制御部を備えており、該主制御部が送信した制御コマンドを該複数のサブ制御部が直接的乃至は間接的に受信し、該複数のサブ制御部が該制御コマンドに基づいて該複数の作動部を作動制御するようにした遊技機において、前記主制御部と前記複数のサブ制御部の間での該主制御部から送信された制御コマンドの伝送経路上に配設されて、該制御コマンドを受信する通信制御部が設けられている一方、該制御コマンドに対して、該制御コマンドが該複数のサブ制御部の何れのサブ制御部に向けて送信されたものであるかを示す宛先識別情報が付されており、該通信制御部が、該制御コマンドに関するサブ制御コマンドを該宛先識別情報に基づいて該サブ制御部に送信するようにしたことにある。
【手続補正３】
【補正対象書類名】明細書
【補正対象項目名】００１２
【補正方法】変更
【補正の内容】
【００１２】
このような本発明に従う構造とされた遊技機においては、主制御部は、通信制御部のみに制御コマンドを送信するようになっていることから、例えば、複数のサブ制御部に共通の制御コマンドがある場合には、主制御部が、かかる共通の制御コマンドを通信制御部に送信し、通信制御部が各サブ制御部に対して主制御部からの制御コマンドに関するサブ制御コマンドを送信することが可能となり、それによって、主制御部の制御コマンド送信に対する負担を軽減することが可能となり、主制御部の制御プログラムの容量を小さくすることが可能となる。
【手続補正４】
【補正対象書類名】明細書
【補正対象項目名】００１３
【補正方法】変更
【補正の内容】
【００１３】
そこにおいて、本発明に係る遊技機においては、主制御部が送信した制御コマンドには、制御コマンドが複数のサブ制御部の何れのサブ制御部に送信されたものであるかを示す宛先識別情報が付されていることから、通信制御部は、主制御部からの制御コマンドに関するサブ制御コマンドを宛先識別情報に基づいてサブ制御部に送信するだけで良く、それによって、通信制御部が主制御部からの制御コマンドに基づいてサブ制御部の制御内容を決定する場合に比して、通信制御部の負担を軽減することが可能となる。
【手続補正５】
【補正対象書類名】明細書
【補正対象項目名】００１４
【補正方法】変更
【補正の内容】
【００１４】
なお、本発明における作動部とは、遊技を盛り上げるための演出の用に供されるものや遊技状況を報知するために利用されるものをいい、例えば、遊技を盛り上げるための効果音を出力するスピーカ，遊技状況を報知する画像や遊技を盛り上げる画像を表示する特別図柄表示装置および普通図柄表示装置，ガラス枠内や遊技盤上等に配設されて遊技状況を報知するために、或いは、遊技を盛り上げるために発光せしめられるＬＥＤ，遊技盤上に設けられて遊技を盛り上げるための動作を行う装飾役物等がある。そこにおいて、本発明に係る遊技機では、例えば、効果音を出力するスピーカと画像を表示する特別図柄表示装置のように、互いに異なる作動を行うものは、それぞれが一つの作動部を構成するものとする。従って、ガラス枠内や遊技盤上等に配設されたＬＥＤが複数あったとしても、それら複数のＬＥＤは、発光という互いに同じ作動を行うことから、それら複数のＬＥＤによって一つの作動部が構成されることとなる。
【手続補正６】
【補正対象書類名】明細書
【補正対象項目名】００１５
【補正方法】変更
【補正の内容】
【００１５】
また、本発明におけるサブ制御部とは、遊技を盛り上げるために、或いは、遊技状況を報知するために、作動部を作動制御するものをいい、例えば、スピーカからの効果音の出力を制御する音制御部，ガラス枠内や遊技盤上等に配設されたＬＥＤの発光を制御する発光制御部，特別図柄表示装置や普通図柄表示装置における画像の表示を制御する図柄制御部，遊技盤上に配設された装飾役物の作動を制御する役物制御部等がある。そこにおいて、本発明に係る遊技機では、例えば、スピーカからの効果音の出力と特別図柄表示装置における画像の表示のように、互いに異なる作動部の作動制御は、互いに異なるサブ制御部で行うものとされている。従って、本発明においては、一つの作動部を作動制御する制御装置が、一つのサブ制御部とされている。
【手続補正７】
【補正対象書類名】明細書
【補正対象項目名】００１６
【補正方法】変更
【補正の内容】
【００１６】
さらに、本発明におけるサブ制御部は、制御ＣＰＵと主制御部からの制御コマンドに基づいて制御ＣＰＵに一つの作動部の作動制御を行わせる制御プログラムや制御データ等が記憶されたＲＯＭを含んで構成されている。更にまた、本発明における複数のサブ制御部は、それぞれ、一つの制御ＣＰＵを備えていても良いが、複数のサブ制御部で共通の制御ＣＰＵを備えていても良い。また、複数のサブ制御部は、それぞれ、制御プログラムや制御データ等が記憶されたＲＯＭを一つ備えていても良いし、或いは、複数のサブ制御部で共通のＲＯＭを備えており、かかる共通のＲＯＭに設けられた異なる記憶エリアに各サブ制御部の制御プログラムや制御データ等が記憶されていても良い。そこにおいて、複数のサブ制御部が共通の制御ＣＰＵとＲＯＭを備えている場合には、一つのサブ制御部によって複数の作動部が作動制御されているかのような外観構成を呈するが、制御プログラムや制御データ等が異なっている限り、一つのサブ制御部によって一つの作動部が作動制御されているのである。
【手続補正８】
【補正対象書類名】明細書
【補正対象項目名】００１７
【補正方法】変更
【補正の内容】
【００１７】
また、本発明における複数のサブ制御部は、１枚のサブ制御基板上に設けられていても良いし、複数枚のサブ制御基板上に設けられていても良い。そこにおいて、複数枚のサブ制御基板上に複数のサブ制御部が設けられている場合には、１枚のサブ制御基板上に複数のサブ制御部のうちの一つのサブ制御部のみが設けられている必要はなく、２つ以上のサブ制御部が設けられていても良い。
【手続補正９】
【補正対象書類名】明細書
【補正対象項目名】００１８
【補正方法】変更
【補正の内容】
【００１８】
さらに、本発明におけるサブ制御コマンドとは、主制御部から送信された制御コマンドそのものであっても良いし、主制御部から送信された制御コマンドに対して通信制御部が読み替えや変換，複製等の処理を施したコマンドであっても良い。更に、本発明における宛先識別情報は、例えば、主制御部から送信された制御コマンドの特定のｂｉｔを利用すること等によって有利に実現することが出来る。そこにおいて、本発明における宛先識別情報は、例えば、制御コマンドの特定ｂｉｔを利用する場合のように、制御コマンドに対して、直接に付されている必要はない。具体的には、例えば、制御コマンドが出力される出力ポートのアドレスや制御コマンドを受信させるためのストローブ信号が出力される出力ポートのビットを宛先識別情報とすることも可能である。更にまた、本発明における主制御部から送信された制御コマンドは、複数のサブ制御部に共通の制御コマンドであっても良いし、特定のサブ制御部に対する制御コマンドであっても良い。
【手続補正１０】
【補正対象書類名】明細書
【補正対象項目名】００１９
【補正方法】変更
【補正の内容】
【００１９】
また、本発明における通信制御部には、主制御部からの制御コマンドに付された宛先識別情報を読み取る宛先識別情報読取手段が設けられていると共に、宛先識別情報に基づいて主制御部から送信された制御コマンドに関するサブ制御コマンドをサブ制御部に送信するサブ制御コマンド送信手段が設けられており、それによって、通信制御部が、主制御部から送信された制御コマンドに関するサブ制御コマンドを宛先識別情報に基づいてサブ制御部に送信することが出来るのである。そこにおいて、本発明における通信制御部は、例えば、ゲートアレイ等の制御ＩＣで構成されていても良いし、或いは、主制御部からの制御コマンドに付された宛先識別情報を読み取り、かかる宛先識別情報に基づいて、サブ制御コマンドをサブ制御部に送信する制御プログラム等が記憶されたＲＯＭとかかる制御プログラム等に基づく作動制御を行う制御ＣＰＵを含んで構成されていても良い。また、本発明において、通信制御部は、主制御部と複数のサブ制御部の間での主制御部から送信された制御コマンドの伝送系路上に配設されているが、本発明における通信制御部の配設形態としては、例えば、通信制御部がサブ制御部を構成するサブ制御ＣＰＵと別個の通信制御用ＩＣを備えており、かかる通信制御用ＩＣに対して複数のサブ制御ＣＰＵが電気的に接続されている配設形態の他に、通信制御部が備えている通信制御用ＩＣが、複数のサブ制御部のうちの一つのサブ制御部を構成する制御ＣＰＵによって構成されており、かかる制御ＣＰＵに対して、他のサブ制御部を構成する制御ＣＰＵが電気的に接続されている配設形態等も、含むものとする。
【手続補正１１】
【補正対象書類名】明細書
【補正対象項目名】００２０
【補正方法】変更
【補正の内容】
【００２０】
さらに、本発明における主制御部には、主制御部から送信される制御コマンドに対して、かかる制御コマンドが複数のサブ制御部の何れのサブ制御部に向けて送信されたものであるかを示す宛先識別情報を付すための宛先識別情報付加手段が設けられており、それによって、主制御部が、制御コマンドに宛先識別情報を付すことが出来るのである。
【手続補正１２】
【補正対象書類名】明細書
【補正対象項目名】００２１
【補正方法】変更
【補正の内容】
【００２１】
ところで、本発明に係る遊技機においては、前記通信制御部および前記複数のサブ制御部の間で作動を同期させるための相互通信手段を設けた態様が、好適に採用される。このような本態様に従う構造とされた遊技機においては、複数のサブ制御部による複数の作動部の作動制御を略同時に開始することが可能となる。
【手続補正１３】
【補正対象書類名】明細書
【補正対象項目名】００２７
【補正方法】変更
【補正の内容】
【００２７】
さらに、本発明に係る遊技機においては、前記通信制御部が、前記サブ制御部の少なくとも一つと共通のＣＰＵを備えた態様が、好適に採用される。このような本態様に従う構造とされた遊技機においては、通信制御部がサブ制御部と共通のＣＰＵを備えていることから、サブ制御基板に実装されるＣＰＵの数を減らすことが可能となり、それによって、遊技機の製造コストを抑えることが出来るのである。
【手続補正１４】
【補正対象書類名】明細書
【補正対象項目名】００２８
【補正方法】変更
【補正の内容】
【００２８】
また、本発明に係る遊技機においては、前記宛先識別情報には、前記複数のサブ制御部の全てを指定するものと特定の前記サブ制御部を指定するものがある態様が、好適に採用される。このような本態様に従う構造とされた遊技機においては、主制御部から通信制御部に一つのサブ制御コマンドを送信するだけで、複数のサブ制御部による複数の作動部の作動制御を有利に実現することが出来るのである。